(57)【特許請求の範囲】
【請求項１】
左右の各端部にそれぞれ開口を有する檻本体と、前記開口の上側に保持されるように構成されているとともに、保持状態を解除することにより前記開口をそれぞれ閉鎖可能に構成された左右の閉鎖部材と、該閉鎖部材を前記開口の上側にそれぞれ保持する左右の保持手段と、前記檻本体の内部にて動作可能に取り付けられた作動部材と、該作動部材の動作に応じて一方の前記保持手段による一方の前記閉鎖部材に対する保持状態を解除する第１連動手段と、前記一方の閉鎖部材の降下動作に応じて他方の前記保持手段による他方の前記閉鎖部材に対する保持状態を解除する第２連動手段と、を有することを特徴とする捕獲檻。
【請求項２】
前記作動部材は、前記檻本体の内部において前記檻本体の上部若しくは上方に配置された水平軸線を中心として揺動可能に構成されていることを特徴とする請求項１に記載の捕獲檻。
【請求項３】
前記保持手段は、前記閉鎖部材に対して水平軸線を中心として回転自在に取り付けられた回転部材と、前記第１連動手段又は前記第２連動手段により前記回転部材の下部の接線方向に移動可能に構成され、前記回転部材の下方に配置されて前記回転部材を支持する支持部材とを有することを特徴とする請求項１又は請求項２に記載の捕獲檻。
【請求項４】
前記作動部材の動作に応じて前記他方の保持手段による前記他方の閉鎖部材に対する保持状態を解除する第３連動手段と、前記他方の閉鎖部材の降下動作に応じて前記一方の保持手段による前記一方の閉鎖部材に対する保持状態を解除する第４連動手段とを有し、
前記一方の閉鎖部材が閉鎖すべき前記開口側から前記作動部材に接触した場合には前記第１連動手段と前記第３連動手段のうち一方が動作し、前記他方の閉鎖部材が閉鎖すべき開口側から前記作動部材に接触した場合には前記第１連動手段と前記第３連動手段のうち他方が動作するように構成されていることを特徴とする請求項１乃至請求項３のいずれか１項に記載の捕獲檻。
【発明の詳細な説明】
【０００１】
【発明の属する技術分野】
本発明は、猪、猿、熊、鹿などの有害獣を捕獲する檻として好適な捕獲檻に関する。
【０００２】
【従来の技術】
一般に、左右の各端部に開口を有し，地上に設置される角筒形の檻本体と、この檻本体左右の開口の上部に垂直に立つように保持され、垂直に降下して左右の開口を同時に塞ぐように構成された一対のドアとを備えた捕獲檻は公知である。これらの多くは、動物が檻本体に入ると、ワイヤー引っ掛け式（ワイヤーを掛け渡してあるもの）や踏みこみ式（床面に重量が加わると動作するもの）や回転ドア式（垂直軸周りに回転自在に構成された可動部材を用いるもの）等の作動部材が動作してドアが落下し、左右両端の開口が閉塞されることにより、動物を檻本体内に閉じ込める仕組を備えている。
【０００３】
【発明が解決しようとする課題】
しかしながら、従来の捕獲檻は作動部材の動作により同時に左右両端部のドアを落下させるように構成されているので、動物が作動部材に弱く接触したり、連動手段等の調整不良などがあったりすると、作動部材とドアの保持手段との間に架設されたワイヤーの緩みやリンク節のガタ（遊び）等が災いしていずれか一方のドアしか落下せず、他方のドアから動物が逃げてしまう可能性がある。この場合、一方のドアが閉鎖されていることにより、その後は、動物が警戒し、檻内部に入りにくくなる。
【０００４】
また、通常の捕獲檻では、捕獲檻の種類に応じて既定の作動部材（センサー部）のみを用いるように構成されている（作動部材の形状は何種類かあっても基本的作動原理はかわらない場合が多い。）ので、捕獲したい動物の種類や設置場所に応じて異なる作動原理の感知方式に改造することが困難である。
【０００５】
そこで本発明は上記問題点を解決するものであり、その課題は、左右両側のドアが確実に檻本体の一対の開口を閉鎖するように構成することによって、動物を逃がす恐れの少ない捕獲檻を提供することにある。
【０００６】
【課題を解決するための手段】
上記課題を解決するために本発明の捕獲檻は、左右の各端部にそれぞれ開口を有する檻本体と、前記開口の上側に保持されるように構成されているとともに、保持状態を解除することにより前記開口をそれぞれ閉鎖可能に構成された左右の閉鎖部材と、該閉鎖部材を前記開口の上側にそれぞれ保持する左右の保持手段と、前記檻本体の内部にて動作可能に取り付けられた作動部材と、該作動部材の動作に応じて一方の前記保持手段による一方の前記閉鎖部材に対する保持状態を解除する第１連動手段と、前記一方の閉鎖部材の降下動作に応じて他方の前記保持手段による他方の前記閉鎖部材に対する保持状態を解除する第２連動手段と、を有することを特徴とする。
【０００７】
本発明において、前記作動部材は、前記檻本体の内部において前記檻本体の上部若しくは上方に配置された水平軸線を中心として揺動可能に構成されていることが好ましい。これによって、動物の動作を妨げ難くなるとともに動物の侵入を感度良く検出できる。
【０００８】
本発明において、前記保持手段は、前記閉鎖部材に対して水平軸線を中心として回転自在に取り付けられた回転部材（滑車）と、前記第１連動手段又は前記第２連動手段により前記回転部材の下部の接線方向に移動可能に構成され、前記回転部材の下方に配置されて前記回転部材を支持する支持部材（ストッパーピン）とを有することが好ましい。これによって、閉鎖部材に対する保持状態の解除をスムーズに行うことができる。
【０００９】
本発明において、前記作動部材の動作に応じて前記他方の保持手段による前記他方の閉鎖部材に対する保持状態を解除する第３連動手段と、前記他方の閉鎖部材の降下動作に応じて前記一方の保持手段による前記一方の閉鎖部材に対する保持状態を解除する第４連動手段とを有し、前記一方の閉鎖部材が閉鎖すべき前記開口側から前記作動部材に接触した場合には前記第１連動手段と前記第３連動手段のうち一方が動作し、前記他方の閉鎖部材が閉鎖すべき開口側から前記作動部材に接触した場合には前記第１連動手段と前記第３連動手段のうち他方が動作するように構成されていることが好ましい。
【００１０】
なお、本発明は、より具体的には以下のように構成される。すなわち、左右の各端部に開口を有し、地上に設置される角筒形の檻本体とこの左右の開口上に垂直に降下落下し左右一対のスライドドアを一時的に支持し、動物が檻本体内部に入り、本体内部の中央部天井上部に支点を有する、ブランコバー（ブランコシャフト）を前後に動かした時の振り子動により、天井上面に設けられた、作動力量可変な装置により作動原点を２ポイント設け（ブランコバーの左右どちらの動きにも対応するため）、ワイヤーにより片側開口部スライドドア付近にて水平に摺動するスライドストッパー装置へと伝わりその先端ストッパーが抜けることにより、スライドドアは降下落下を開始して、その直後極めて近い距離にある、復動アーム、可変力量調整レバーから構成される復動装置がスライドドアの重量により作動し、ワイヤーにより反対面の端面開口部付近のスライドストッパー装置へと伝わり、同端面上部に一時的に支持された、スライドドアを降下落下させるように構成されたものである。また、作動始点、作動原点の装置の交換も動物に合わせ、重量感知式、回転式とワンタッチで交換出来るようにユニット化したものである。
【００１１】
【発明の実施の形態】
次に、添付図面を参照して本発明に係る捕獲檻の実施形態について詳細に説明する。図１に示すように、角筒形の檻本体１は左右に開口を有するもので、金属角材、金属板材、金属丸棒材などの適宜の材料により、天井ユニット２、床ユニット３、一対の側面ユニット４，４、及び、上記開口を開閉するための左右一対のスライドドアユニット５，５を備えている。また、天井ユニット２及び床ユニット３は図６の如く他の作動原理を有する機構を簡単に装着する事が可能な構造を有していて、動物に合わせ検出方式の変更する事ができるようになっている。
【００１２】
組立完成後の各部の典型的な寸法は、左右の開口の幅が約１００ｃｍ高さ約１６０ｃｍ（ドア開放時のドア上端の高さは約２００ｃｍ）であり、奥行き（左右）長が約２００ｃｍであるが、捕獲する動物によって適宜に各寸法を増減すればよい。また、天井ユニット２、床ユニット３、両側面ユニット４及びスライドドアユニット５にはそれぞれ金属製の格子が張られている。この格子は、例えば一辺が５ｃｍ〜１５ｃｍ、太さが３ｍｍ〜１５ｍｍとなっている。なお、各ユニットを板材で構成してもよい。
【００１３】
両スライドドアユニット５，５の前後両側は柱状でコの字形の溝を有するガイドレール８によって上下に移動自在にガイドされている。これらのガイドレール８は、側面ユニット４，４と一体的に構成されている。側面ユニット４のガイドレール８の取付部分やスライドドアユニット５は、強度確保の為に補強材を適度に入れることが好ましい。ガイドレール８の最下端には、スライドドアユニット５が下方への抜けないようにするための抜け防止用のストッパー９が設けられている。また、天井ユニット２上の左右の端部（図示例では端部中央）には、スライドドアユニット５が落下して開口を閉鎖したときに、スライドドアユニット５が上昇して開口が開かないようにするための抜け防止用のフック状のストッパー１０がそれぞれ設けられている。
【００１４】
天井ユニット２の中央部付近には、後述するブランコバー（ブランコシャフト）６を揺動可能に支持するとともにブランコバー６から受けた振り子運動を各部に伝達する為の作動原点装置１１が構成されている。この作動原点装置１１には、ブランコバー６に接続され若しくは一体に設けられたアーム軸１５と、アーム軸１５を介してブランコバー６を揺動自在に支持するようにアーム軸１５に交差姿勢で接続された水平軸部材と、この水平軸部材を回転自在に軸支する軸支部材とが設けられ、この軸支部材は天井ユニット２に固定されている。アーム軸１５における水平軸部材に対する取付部位から離反した両側位置にはそれぞれワイヤー１２が取り付けられている。これら一対のワイヤー１２は統合されて、水平スライドストッパーユニット７に接続されている。この水平スライドストッパーユニット７には、一対のワイヤー１２が統合されたワイヤー７１が接続されているとともに、開口側にストッパーピン７２が接続されている。一方、スライドドアユニット５の下部には滑車７３が回転自在に取り付けられている。ストッパーピン７２は、この滑車７３を下から支持するように配置され、滑車７３を介してスライドドアユニット５を図示の上方位置に保持している。ストッパーピン７２は、水平スライドストッパーユニット７に作用するコイルバネ等の弾性部材によって常時滑車７３に向けて突出する方向に付勢されている。
【００１５】
スライドドアユニット５の上部抜け防止用のストッパーユニット１０は、通常はバネ等の弾性部材によってスライドドアユニット５に対して付勢されており、図示のようにスライドドアユニット５が上方位置に保持されている場合にはスライドドアユニット５のドア面に当接している。
【００１６】
復動ユニット１３は、例えば、一方（図示右側）のスライドドアユニット５の下端に近接した下方位置に先端が突き出た復動アームと、この復動アームに固定され若しくは一体化された復動レバーとにより構成され、全体が回動可能に構成されている。一方のスライドドアユニット５が落下すると、スライドドアユニット５の下方に突き出た復動アームによって復動ユニット１３全体が回動するように構成されている。復動ユニット１３の後端（復動レバー）には復動ワイヤー１４が接続され、この復動ワイヤー１４は、他方（図示左側）のスライドユニット５の側において天井ユニット２上に配置されたもう一つの水平スライドストッパーユニット７に接続されている。この水平スライドストッパーユニット７は上記と同様のワイヤー７１、ストッパーピン７２、及び滑車７３を備えている。この滑車７３は他方（図示左側）のスライドドアユニット５に取り付けられ、スライドドアユニット５とともにストッパーピン７２によって上方位置に保持されている。また、この他方のスライドドアユニット５に対しても上記と同様のストッパーユニット１０が設けられている。
【００１７】
なお、天井ユニット２には、上記のブランコバー６や作動原点装置１１を有するものとは異なる他の動作原理を備えた作動手段を取り付けるための取付穴などが設けられ、他の作動手段をそのままで取り付け可能に構成されている。また、檻本体を補強するための補強材の取付穴が両端面部左右２ケ所にあいている。格子材は天井ユニット２の内側に張られ、天井ユニット２の外形アングル材などにより組立時、両側面ユニット４の上部を包み込む構造となっている。
【００１８】
ブランコバー（ブランコシャフト）６は主軸材（例えば直径６ｍｍ〜１５ｍｍの丸棒材）に木の枝に見せかけた任意の角度をもたせた枝材（例えば直径６ｍｍ〜１２ｍｍの丸棒材）１６がついており、ブランコバー（ブランコシャフト）６の上部先端部（例えば直径３ｍｍ〜１０ｍｍ長さ１０ｍｍ〜２５ｍｍ）は、上記作動原点装置１１のアーム軸に接続されている。ブランコバー（ブランコシャフト）６の最下端は、例えば地上高３０ｃｍ〜５０ｃｍの位置にある。
【００１９】
床ユニット３は４辺のアングル材などにより外形が構成されておりその内側には天井ユニットと同じ格子材が張られていて、組立時には側面ユニット４の最下端部の辺を包み込む構造となっている。また、図６に示すように、後述する可動床ユニット３０を取付可能な取付枠部３１が設けられていることが好ましい。
【００２０】
作動原点装置１１においては、上記アーム軸１５と一対のワイヤー１２との接続位置をアーム軸１５の軸線方向に調整可能に構成されていることが好ましい。例えば、アーム軸１５の外周面にネジを形成し、ワイヤー１２を接続したナットをアーム軸１５に螺合させた構造とすれば、ナットを回転させることによって上記接続位置の調整が可能になる。このような２ポイントの上記接続位置の可変調整は、ワイヤー１２の作動量と、ブランコバー６の振り子運動の振れ幅との関係を調整したり、一対のワイヤー１２に連結されるアーム軸１５の中立姿勢を調整したりするためなどに必要とされる。
【００２１】
［本実施形態の動作］  本実施形態においては、動物が檻本体内に侵入してきて、ブランコバー（ブランコシャフト）６に干渉すると、図５に示すように、ブランコバー６は図示▲１▼のように揺動し、作動原点装置１１を介してワイヤー１２のいずれか一方は図示▲２▼の方向に動く。これにより、片端面近くのスライドストッパーユニット７は図示▲３▼の方向に引っ張られ先端のストッパーピン７２が一方のスライドドアユニット５下部の滑車７３から外れ、一方（図示右側）のスライドドアユニット５が図示▲４▼のように落下する。そのスライドドアユニット５の落下により、復動アーム１３１はドア重量により下方に動き、復動レバー１３２が図示▲６▼の方向に動く。この復動レバー１３２に連結された復動ワイヤー１４は、図示▲７▼の方向に動くため、他方端面近くのもう一方のスライドストッパーユニット７が動作して、そのストッパーピンは図示▲８▼の方向に動き、他方（図示左側）のスライドドアユニット５の下部にて軸支された滑車７３から外れ、他方のスライドドアユニット５も落下する。
【００２２】
ここで、左右のスライドドアユニット５，５が落下し、檻本体１の左右の開口を閉鎖すると、スライドドアユニット５，５の上端部がストッパーユニット１０から外れ、ストッパーユニット１０のフック先端がバネ力によってスライドドアユニット５の上方に突出するので、檻本体１内に閉じ込められた動物は、一旦落下したスライドドアユニット５，５を開けることができなくなる。
【００２３】
従来の捕獲檻においては、動物を検出する作動部材の動作によって左右一対の閉鎖部材を同時に動作させようとしていたが、このように構成すると、閉鎖部材を保持するための保持手段（ストッパー）や作動部材と保持手段とを連動させる連動手段（ワイヤーやリンクなど）の加工寸法誤差、調整精度誤差、緩みやガタ（遊び）などが必ず存在するので、片方の閉鎖部材しか落下しないといった事態が発生しうる。
【００２４】
これに対して、本実施形態では、作動部材（ブランコバー６）に対して動物が接触すると、これに連動して一方の閉鎖部材（図示右側のスライドドアユニット５）だけが落下して一方の開口を閉鎖するが、この一方の閉鎖部材の落下動作に連動して、他方の閉鎖部材（図示左側のスライドドアユニット５）が落下して他方の開口を閉鎖するように構成されているので、一方の閉鎖部材が動作すれば確実に他方の閉鎖部材をも動作させることができる。特に、動物は作動部材に対して弱く接触する場合もあるが、一方の閉鎖部材が一旦動作すれば、その落下動作によって動物の接触度合に拘わらず確実に他方の閉鎖部材が動作するので、片方の閉鎖部材のみが閉じて、もう一方の閉鎖部材が閉じないといった事態の発生を防止できる。
【００２５】
本実施形態の場合、左右一対の閉鎖部材の動作には若干のタイムラグが存在し得るが、通常の連動手段（ワイヤーやリンクなど）でも、動物の反応や動作に較べてタイムラグを十分に小さく設定することができるため、問題にはならない。
【００２６】
（変形例）ところで、上記実施形態に対して、上記の左右一対の水平スライドストッパーユニット７，７に対してそれぞれ一対のワイヤー１２の片方を接続し、図示左側のスライドドアユニット５の落下動作に対して上記と同様に動作するように構成されたもう一つの復動ユニットと、この復動ユニットを図示右側の水平スライドストッパーユニット７に接続するワイヤーとを設けることによって、ブランコバー６が一方に傾いたときには図示右側の水平スライドストッパーユニット７が動作し、先に図示右側のスライドドアユニット５が落下し、その後、復動ユニット１３を介して図示左側のスライドドアユニット５が落下するように構成し、一方、ブランコバー６が他方に傾いたときには図示左側の水平スライドストッパーユニット７が動作し、先に図示左側のスライドドアユニット５が落下し、その後、他方の追加された復動ユニットを介して図示右側のスライドドアユニット５が落下するように構成することもできる。
【００２７】
このように構成すると、例えば、動物が右側から檻本体に侵入してきたときには、先に図示左側のスライドドアユニットを落下させてから図示右側のスライドドアユニットを落下させることができ、動物が左側から侵入してきたときには、先に図示右側のスライドドアユニットを落下させてから図示左側のスライドドアユニットを落下させることができるので、動物が檻本体を一方の開口から他方の開口に駆け抜けてしまうことを防止できる。
【００２８】
また、動物の習性によっては侵入してきた方向に逃げる場合もあるので、上記とは逆に、動物が右側から檻本体に侵入してきたときには、先に図示右側のスライドドアユニットを落下させてから図示左側のスライドドアユニットを落下させ、動物が左側から侵入してきたときには、先に図示左側のスライドドアユニットを落下させてから図示右側のスライドドアユニットを落下させることもできる。
【００２９】
［実施形態に適用可能な他の構造への対応］
（重力感知式作動ユニット）  床ユニット３の中央部に設けられた取付枠部３１に可動床ユニット３０を取付け、この可動床ユニット３０に接続されたワイヤー３２を、天井ユニット２に設置された作動方向変換ユニット３３に接続する。作動方向変換ユニット３３の他端には別のワイヤー３４が接続されている。このワイヤー３４は上記実施形態のワイヤー１２の代わりに水平スライドストッパーユニット７に接続される。
【００３０】
ここで、可動床ユニット３０は、図６に示すように複数枚（図示例では３枚）の所定形状（図示例では３角形状）の板材をそれぞれ床ユニット３の取付枠部３１に対して（蝶番等を用いて）回動可能に取り付けたものである。各板材の自由端は上記のワイヤー３２に接続される。
【００３１】
（回転式作動ユニット）  床ユニット３の中央部に軸受４１を設け、この軸受４１により、回転ユニット４２の下端を回転自在に軸支させる。この回転ユニット４２は、天井ユニット２上に設置される回転変換ユニット４３に対して回転方向に接続される。回転変換ユニット４３は、回転ユニット４２とともに回転するように構成された垂直軸を軸受で支持し、この垂直軸に対して水平に伸びる水平アームを接続したものである。この水平アームには上記実施形態のワイヤー１２が接続される。この回転ユニット４２は檻本体内において垂直軸の周りに回転可能に構成されているので、動物が檻本体内に侵入して接触すると回転ユニット４２が回転し、回転変換ユニット４３を介してスライドドアユニットが閉鎖される。
【００３２】
（捕獲報知ユニット）檻本体に開口を備え、この開口を閉鎖可能な閉鎖部材を有する捕獲檻においては、閉鎖部材が開口を閉鎖することを検知するリミットスイッチ等の検出器と、この検出器の検出信号を受けて特定の受信機に無線送信を行う送信機とを設けることができる。ここで、この送信機には、上記制御信号によって捕獲檻に関連付けられた識別情報を上記受信機に送る機能を持たせることもできる。例えば、上記検出器をタイマー回路等の信号回路を介して携帯電話に接続し、信号回路から携帯電話に送信開始指令を送ることによって携帯電話が特定の電話番号に電話をかけたり、電子メールを送信したりするように構成できる。このとき、携帯電話は、捕獲檻の内部の音を受信先に送るようにしてもよく、或いは、予め用意されていた捕獲檻の識別情報を受信先に送るようにしてもよい。特に、上記構成において送信機が捕獲檻の識別情報を送信するように構成すると、複数の捕獲檻を設置してある場合に、どの捕獲檻で動物が捕獲されたかを直ちに知ることが可能になる。
【００３３】
また、一般に、檻本体に開口を備え、この開口を閉鎖可能な閉鎖部材を有する捕獲檻においては、閉鎖部材が開口を閉鎖することにより、その反動で旗が屹立したり、花火や狼煙などがあがったりするように構成することもできる。
【００３４】
尚、本発明の捕獲檻は、上述の図示例にのみ限定されるものではなく、本発明の要旨を逸脱しない範囲内において種々変更を加え得ることは勿論である。
【００３５】
【発明の効果】
以上、説明したように本発明によれば、動物が侵入して作動部材に接触すると、第１連動手段により一方の閉鎖部材が開口を閉鎖し、この一方の閉鎖部材の動作によって第２連動手段により他方の閉鎖部材が開口を閉鎖するように構成されているので、連動手段の緩みや遊びによって片方の閉鎖部材が動作しないといった事態を招く恐れがなくなり、確実に動物を捕獲することが可能になる。
【図面の簡単な説明】
【図１】本発明に係る捕獲檻の実施形態の構造を示す概略斜視図である。
【図２】捕獲檻の右側面図である。
【図３】捕獲檻の平面図である。
【図４】捕獲檻の作動部材、連動手段、保持手段の構成を示す説明図である。
【図５】捕獲檻の作動原理の説明図である。
【図６】他の作動原理ユニットを適用する状態を示す説明図である。
【符号の説明】
１・・・檻本体、２・・・天井ユニット、３・・・床ユニット、４・・・側面ユニット、５・・・スライドドアユニット、６・・・ブランコバー、７・・・水平スライドストッパーユニット、８・・・ガイドレール、１０・・・ストッパーユニット、１１・・・作動原点装置、１２・・・ワイヤー、１３・・・復動ユニット、１４・・・ワイヤー、１５・・・アーム軸、１６・・・枝材、７２・・・ストッパーピン、７３・・・滑車
【図１】
0003586445.tif 000002
【図２】
0003586445.tif 000003
【図３】
0003586445.tif 000004
【図４】
0003586445.tif 000005
【図５】
0003586445.tif 000006
【図６】
0003586445.tif 000007